(57)【要約】【課題】ゲルマニウム、トルマリン、ブラックシリカなどによる指圧効果粒状物による患部への指圧効果や皮接具が持つ磁気やイオンによる治療効果や遠赤外線放射材による加温・保温効果等を及ぼし得る、肌に優しく貼り付け易い健康皮接具を提供する。【解決手段】裏面に粘着剤層が形成されたシート状の小片よりなる皮接手段の表面中央に指圧効果粒状物が支持されており、この粘着剤層が剥離シートで覆われている。【選択図】　図１
0003098171.tif 000002
【実用新案登録請求の範囲】
【請求項１】
金属、樹脂、磁石、ゲルマニウム、トルマリン、ブラックシリカのうちの何れか若しくは複数よりなる小粒状又は略半球状或いは錠剤形状を有する指圧効果粒状物が皮接手段の表面中央に支持され、この皮接手段の裏面には粘着剤層が形成され、この粘着剤層が剥離シートで保護されていることを特徴とする健康皮接具。
【請求項２】
指圧効果粒状物の下部が金属又は樹脂製の保持部材で保持され、この保持部材の下面と前記皮接手段の上面とが接着剤又は粘着剤で支持されている請求項１に記載の健康皮接具。
【請求項３】
前記皮接手段が円形又は五角形のシート片で形成されている請求項１又は２に記載の健康皮接具。
【請求項４】
指圧効果粒状物又は前記保持部材の下部と皮接手段の間にクッション材が支持されている請求項１ないし３に記載の健康皮接具。
【請求項５】
指圧効果粒状物又は前記保持部材の下部にクッション材で形成され、その下面に粘着剤層が形成され、この粘着剤層が剥離シートで覆われている請求項１又は２に記載の健康皮接具。
【考案の詳細な説明】
【０００１】
【考案の属する技術分野】
本考案は、ゲルマニウム、トルマリン、ブラックシリカなどのいずれかよりなる指圧効果粒状物を人又は犬猫などのペット動物の皮膚に沿わせることにより、患部への指圧効果などを及ぼし、とくに皮膚に直接貼り付けないで、皮膚に接する着衣やバンド、装身具に貼り付けて使用する健康皮接具に関する。
【０００２】
【従来の技術】
従来より、人の体の外皮に粒状物やコイン状の小片などの突起を押し当てると指圧効果が得られることは知られている。
例えば、磁気を帯びた金属小粒体を、皮膚への粘着面を片面に持つ皮接手段（貼り付け用シート小片）の粘着面の中央に支持され、この金属小粒体を挟むようにして皮接手段を患部の皮膚面に貼り付けて使用する磁気皮接具は良く知られており、さらにその機能を進化させたものとして、例えば、特開昭６１−９０６７６号公報に記載の皮接具が公知である、この皮接具は、絆創膏のように片面に粘着面が形成された皮接手段の粘着面が形成されている皮接手段の中央に、磁石と金属ゲルマニウムとが支持されたもので構成され、この絆創膏面を患部の皮膚に貼り付けて使用して、患部にゲルマニウムによる消炎効果、殺菌効果、患部への治療効果を及ぼすものである。
【０００３】
【考案が解決しようとする課題】
しかしながら、皮接手段を患部の皮膚に直接、貼り付けると、人によっては、粘着剤の成分や粘着面が持つ通気性の悪さ並びに粘着力によって、皮膚のかぶれ、かゆみなどが生じることがある。しかも、皮接手段を皮膚から剥がしたときに、粘着剤剤の跡が残ったり、皮膚に剥がし跡による赤みが残って見苦しくなりする他、この剥がし跡の皮膚面がかゆくなることがある。また、例えば、皮接具を個々所望の患部の皮膚面に支持させるのは面倒であり、特に背骨を中心とした背中には一人で貼れなし、一人で剥がすことができないなど、周りの人の手助けが必要になるという煩わしさがある。
ところで、特開２００２−３４５８６６公報に記載の腰ベルトは、その中央部の内側に位置する補強片とその背面側の布地の間に指圧効果粒状物を挟み入れて固定し、腰ベルトの内側に指圧効果粒状物に沿って補強片の一部を突出させた構造を有し、この腰ベルトでは、粘着面を皮膚に貼り付けて使用するものではないため、この腰ベルトでは上述した不具合は生じない。
しかしながら、この腰ベルトのように、指圧効果粒状物を初めから補強片と布地の間の決められた位置に固定してあると、治療を必要とする患部の皮膚面に指圧効果粒状物を添えることができないことが多々生じる。例えば、腰痛治療の１つのツボである背骨から両側に離れた腰の辺りに指圧効果粒状物による指圧効果を及ぼすことができない。つまり、着用者の望む個所に指圧効果粒状物を支持させることができないことがある。
【０００４】
本考案は、このような背景下において、着用者が自分の好む位置や患部の位置に合わせて皮接具を位置させることによる患部に対する指圧効果の他、皮接具が保有する磁気治療効果、血流促進効果、患部に対する消炎効果、殺菌効果、患部への治療効果と、遠赤外線放射材による患部への温熱治療効果などの及ぼすことを可能とし、とくに、皮膚面に直接貼り付けない構造にすることにより、従来では生じ易かった皮膚面のかぶれ、かゆみなどの症状が生じなく、剥がし跡も残らず、しかも、下着、コルセット型の腰バンド、ヘアバンド、カチューシャ、リストバンド、ブレスレット、チョーカ、指輪、ペンダント、犬又は猫等のペット動物用の首輪、犬用の胴輪などの着用品の内側面の所望適所に簡単に貼り付けて使用でき、更には、他人の手を煩わせることなく、自分の好みの個所に貼り付けて使用できる、という健康皮接具を提供することを課題とする。
【０００５】
【課題を解決するための手段】
以上の課題を達成するために提案される請求項１に記載の考案の健康皮接具は、金属、樹脂、磁石、ゲルマニウム、トルマリン、ブラックシリカのうちの何れか若しくは複数よりなる小粒状又は略半球状或いは錠剤形状を有する指圧効果粒状物が皮接手段の表面中央に支持され、この皮接手段の裏面には粘着剤層が形成され、この粘着剤層が剥離シートで保護されていることを特徴とする。
【０００６】
本考案の健康皮接具は、裏面に粘着面が形成された皮接手段の表面中央に指圧効果粒状物が固定され、この固定は接着剤又は粘着剤で行なわれており、この皮接手段の他方の片側面に粘着剤層が形成されており、使用前の状態では、この粘着剤層が剥離シートで覆われている。
本考案の健康皮接具を使用するときには、剥離シートを剥がし、これにより露見した粘着面を、上述した着用品の内側面の所望面に貼り付けて使用する。
この所望面は、例えば、着用品が下着のシャツである場合には、シャツを着たときに患部の皮膚面が接する個所であり、１箇所に限らない。このようにして、シャツの内側面に本考案の健康皮接具を貼り付けて、このシャツを着ると、指圧効果粒状物の先端が患部の皮膚面に接し、例えば、指圧効果粒状物が背中側に位置しているときには、背中を下にして寝たとき、体重が指圧効果粒状物に加わって、患部に強い指圧効果をもたらす。また、背もたれ付きの椅子に座っているときにも、背中の患部に強い指圧効果をもたらす。
本考案の健康皮接具は、シャツに限らず、上述した各種の着用品に貼り付けて使用する。例えば、両端の面ファスナーを重ね合わせて輪状にできるリストバンドの内側面に貼り付けて、このリストバンドを手首に巻き付けると、手首に指圧効果をもたらす。
本考案の健康皮接具は、用いる指圧効果粒状物の種類によって、更に別の効果も発揮する。例えば、指圧効果粒状物として磁石の粒状物を用いると、患部に血行を促す磁気治療効果をもたらす。
とくに、本考案の請求項２に記載の健康皮接具のように、指圧効果粒状物が、前記突起体の側部から下部に至る部分が金属又は樹脂製の保持部材で保持され、この保持部材の下面と前記皮接手段の上面とが粘着剤又は接着剤により支持されたものになっていると、指圧効果粒状物を皮接手段に支持し易くなる。また、特開昭６１−９０６７５号公報の発明の詳細な説明中に記載のように、ゲルマニウムがもつ鉱物イオンと磁力線の相互作用によって、患部の凝りや痛みに対して有効な消炎作用を発揮する。
この他、指圧効果粒状物としてトルマリンを用いると、特開２００１−１７５５５号公報における明細書の段落番号「０００６」に記載のように、トルマリンは動植物の神経系統を制御しているのと同じ波長の１１ミクロン、０．０６ミリアンペアの微弱電流を流すために、細胞の活性化を促す効果がある。
【０００７】
皮接手段は、本考案の請求項３に記載のように、皮接手段を円形のものにすると、剥がれ難く、向きを気にしないで貼ることができる。この他、五角形の皮接手段を用いてもよい。
【０００８】
また、本考案の請求項４に記載のように、指圧効果粒状物又は前記保持部材の下部と皮接手段の間にクッション材を設けたり、請求項５に記載のように、指圧効果粒状物又は前記保持部材の下部にクッション材で形成され、その下面に粘着剤層が形成された健康皮接具を用いると、皮接手段を貼り付ける側に凹凸があったり、窪みがあって指圧効果粒状物を皮接手段に固定し難い場合でも、クッション材が凹凸や窪みに沿わせて安定かつしっかりとした固定ができ、また、クッション材によって皮膚面に加わる押圧を適度にする。なお、クッション材は平坦なものに限らず、窪みに沿った曲面形状を有するものであっても構わない。
【０００９】
【考案の実施の形態】
次に本考案による帯状治療具の具体的な実施の形態を添付図面に沿って詳述する。図１の（ａ）図は本発明の第１実施形態による健康皮接具の表面図、（ｂ）図は裏面図、図２は同じくその側面図、図３は同じく斜視図、図４は同じくその中央近傍部分の拡大側面図である。
これら各図に示す本実施形態の健康皮接具１は、不織布又は織布或いはフィルムを素材とする円形シート状の小片３ａよりなる皮接手段３の表面中央に指圧効果を有する指圧効果粒状物２が固定され、この皮接手段３の裏面には粘着剤層３ｂが形成されており、未使用状態では、この粘着剤層３ｂに剥離シート３ｃが貼り付けられて、粘着剤層３ｂが粘着効果を失わないように保護されている。
指圧効果粒状物２は、本実施形態では、金属、磁石、ゲルマニウム、トルマリン、ブラックシリカのうちの何れかよりなる指圧効果粒状物本体２ａの下部に導電性を有する金属製の保持部材２ｂが支持されたもので構成されており、この保持部材２ｂの下面は平坦面になっている。そして、この保持部材２ｂの下面と皮接手段３の表面中央部分とが接着剤層４を挟んだ状態で固定されている。
【０００９】
図５の（ａ）図は本発明の第２実施形態による健康皮接具の表面図、（ｂ）図は裏面図を示している。
この第２実施形態の健康皮接具１は、皮接手段３が五角形を有する不織布又は織布或いはフィルムで形成されており、それ以外は、前述した第１実施形態の健康皮接具１と同様である。
【００１０】
続いて、これら各実施形態の健康皮接具の使用方法を、第１実施形態の健康皮接具１を用いて説明する。
この健康皮接具１を使用するときには、先ず、その裏面に貼り付けられている剥離シート３ｃを指先で摘んで剥がし取る。
【００１１】
そして、図６に示すように、所望の貼り付け面１０に貼り付ける。この貼り付け面１０は、例えば、下着、コルセット型の腰バンド、ヘアバンド、カチューシャ、リストバンド、ブレスレット、チョーカ、犬又は猫等のペット動物用の首輪、犬用の胴輪などの着用品の内側面であり、患部に指圧効果をもたらしたい皮膚の部分に接する面である。
【００１２】
図７はその１例としてシャツ２０の背中側の内側面に健康皮接具１を貼り付けた事例を使用状態図で示しており、このようにして健康皮接具１を貼り付けたシャツ２０を着ると、指圧効果粒状物２の先端が体Ｂの患部の皮膚面に接し、この皮膚面に指圧効果を患部にもたらす。とくに、背中を下にして寝たときには、体重が指圧効果粒状物２に加わって、強い指圧効果を患部にもたらす。また、座席の背もたれに背をもたれさせているときも、背中の患部に強い指圧効果をもたらす。例えば、背骨の両側に沿った個所に指圧効果粒状物２，２・・を多数配置できるように健康皮接具１．１・・をシャツ２０の対応個所に貼り付けると、腰の痛みや背中の凝りを治療できるようになる。
【００１３】
図８は他の１例としてビーズを糸で繋いで作られているリストバンド３０を内側面（裏面側）を上にした斜視図で示しており、このリストバンド３０は、その両端面にリストバンド３０を輪状に面着接合する面ファスナー３３，３４が固定されている。そして、このリストバンド３０の内側面に、健康皮接具１、１・・を貼り付けるための不織布で出来た帯状シート３２の一端が支持されている。
健康皮接具１、１・・・は、リストバンド３０の内側面に沿わせた帯状シート３２の露見面に貼り付けて使用する。そして、このリストバンド３０を手首の巻き付けておくと、手首の凝りや痛みなどが治療できる。
【００１４】
図９はビーズで出来た指輪４０の膨らんだ装飾部分４１の内側の窪み４２に本発明の健康皮接具１を貼り付けて固定した状態を示しており、この図に示すように、ここで用いられる健康皮接具１は、指圧効果粒状物本体２ａの下部を保持している金属製の保持部材２ｂの下部と、不織布又は織布或いはフィルムを素材とする円形シート状の小片３ａよりなりその裏面に粘着材層３ｂが形成された皮接手段３との間に、ウレタンで出来たクッション材５を接着させて出来たものが用いられている。このようにすると、指の付け根辺りにも指圧効果をもたらして指の凝りや神経痛が治癒できる。
【００１５】
図１０の（ａ）図は本実施形態の健康皮接具１，１・・を犬Ｄの首輪４０の内側面に貼り付けた状態を示し、同（ｂ）図はその使用状態を示している。
このように、本実施形態の健康皮接具１，１・・は、犬Ｄの首輪４０の内側面に直接貼り付けて使用できるので、剥がれ難い。そして、犬Ｄの首に指圧効果をもたらす。勿論、指圧効果だけでなく、指圧効果粒状物２の素材に応じた効果も併せてもたらす。
【００１６】
【考案の効果】
以上説明した本考案の健康皮接具によれば、着用者が自分の好む位置や患部の位置に合わせて位置させることができ、この結果、所望の患部に指圧効果を及ぼすことができるようになった。とくに、本考案の健康皮接具は、皮膚面に貼らずに、患部の皮膚面が接する下着、コルセット型の腰バンド、ヘアバンド、カチューシャ、リストバンド、ブレスレット、チョーカ、指輪、ペンダント、犬又は猫等のペット動物用の首輪、犬用の胴輪などの着用品の内側面に貼り付けて使用するものであるため、自分で好きな着用品の内側面に貼ることが出来、患部に粘着剤による刺激や成分などによるかゆみや赤みが無く、貼り跡が生じない。
【図面の簡単な説明】
【図１】（ａ）図は本発明の第１実施形態による健康皮接具の表面図、（ｂ）図は裏面図である。
【図２】同じく側面図である。
【図３】同じくその斜視図である。
【図４】同じくその中央近傍部分の拡大側面図である。
【図５】（ａ）図は本発明の第２実施形態による健康皮接具の表面図、（ｂ）図は裏面図である。
【図６】本発明の健康皮接具の使用状態を示した側面図である。
【図７】本発明の健康皮接具の使用例を示した図である。
【図８】同じく他の使用例を示した図である。
【図９】同じく他の使用例を示した図である。
【図１０】同じく他の使用例を示した図である。
【符号の説明】
１　　健康皮接具
２　　指圧効果粒状物
２ａ　指圧効果粒状物本体
２ｂ　保持部材
３　　皮接手段
３ａ　シート状の小片
３ｂ　粘着剤層
３ｃ　剥離シート
４　　接着剤層
【図１】
0003098171.tif 000003
【図２】
0003098171.tif 000004
【図３】
0003098171.tif 000005
【図４】
0003098171.tif 000006
【図５】
0003098171.tif 000007
【図６】
0003098171.tif 000008
【図７】
0003098171.tif 000009
【図８】
0003098171.tif 000010
【図９】
0003098171.tif 000011
【図１０】
0003098171.tif 000012